(57)【要約】  本発明のタグ取付け用ピンは、表面に弾力性を有する多種多様な物品に対して、ＩＣタグ等を簡単に取付けでき、かつ、簡単に脱落しないタグ取付け用ピンを提供する。具体的には、タグを取付け得る係合部２を備え、前方先端部３が先尖りに形成されたピンであって、該ピンの先端部３の軸部４側面に、後方斜め方向に突出した返し部５が設けられた構成とする。かかる構成により、表面に弾力性がある場合でも、後方斜め方向に突出した返し部の作用により、タグ取付けピンの脱落や抜けを生じ難くすることができる。また表面に弾力性があり、シールが剥がれ易い対象物の場合に、タグを容易に取付けできる。
2009104245.tif 000002
【特許請求の範囲】
【請求項１】
タグを取付け得る係合部２を備え、前方先端部３が先尖りに形成されたピンであって、該ピンの先端部３の軸部４側面に、後方斜め方向に突出した返し部５が設けられたことを特徴とするタグ取付け用ピン。
【請求項２】
前記返し部５の先端を尖らせたことを特徴とする請求項１に記載のタグ取付け用ピン。
【請求項３】
前記返し部５は、前記ピンの軸部４側面と一体的に形状記憶合金により形成されており、所定の温度変化により、前記返し部５の形状が変化して、前記ピンの軸部４の後方斜め方向に突出した形状が変化し、前記ピンの軸部４側面を覆う形状となることを特徴とする請求項１又は２に記載のタグ取付け用ピン。
【請求項４】
前記返し部５は、前記ピンの軸部４と一体的に、セラミック系材料もしくは硬質の樹脂系材料により形成されていることを特徴とする請求項１又は２に記載のタグ取付け用ピン。
【請求項５】
前記返し部５は、前記ピンの軸部４と一体的に、鉄系もしくはステンレス系金属材料により形成されていることを特徴とする請求項１又は２に記載のタグ取付け用ピン。
【請求項６】
前記返し部５は、前記ピンの軸部４と独立して形成されており、前記ピンの後方端部もしくは後方側部の突起物６が操作されることにより、前記ピンの軸部４側面の内側に収納され得ることを特徴とする請求項１又は２に記載のタグ取付け用ピン。
【請求項７】
前記返し部５が、所定の温度で昇華する材質で形成されており、所定の温度変化により、前記返し部の形状が消失し得ることを特徴とする請求項１又は２に記載のタグ取付け用ピン。
【請求項８】
前記係合部２は、前記ピンの後方端部７を軸方向とほぼ直交する方向に折り曲げ、さらに、後方側に折り返し、タグ８を挟持し得る形に形成されたものであることを特徴とする請求項１に記載のタグ取付け用ピン。
【請求項９】
請求項１乃至８のいずれか１項に記載のタグ取付け用ピンを、三角錘の紙筒に巻かれた糸の識別タグの取り付けに使用すること。
【請求項１０】
請求項１乃至８のいずれか１項に記載のタグ取付け用ピンを、表面が弾力性のある肉材，魚材の売り場での表示タグの取り付けに使用すること。
【発明の詳細な説明】
【技術分野】
【０００１】
本発明は、ＩＣタグ、バーコードタグ、シールタグ、紙タグなどのタグ取付け用ピンに関するものである。
【背景技術】
【０００２】
近年、ＩＣチップとアンテナを内蔵し、カードリーダ、カードライターを介して情報の授受が可能なＩＣタグは、商品に取り付け商品管理に用いられている。このようなＩＣタグは、商品の販売の際に取り外して別の商品に取り付けるといったＩＣタグの再利用が行われることがある。ＩＣタグを商品に取り付けるための一手段として、粘着剤の層を付与したＩＣタグが開示されている。しかしながら、粘着剤は貼り付けを繰り返すと粘着剤層表面への異物の付着などによりその効果を失うことが避けられない。
一方で、ＩＣタグを取り付けピンにより、商品などの対象物に取り付けることも行われている（例えば、特許文献１を参照）。【０００３】
この他、物品にＩＣタグ、バーコードタグ、シールタグ、紙タグなどのタグを取付ける場合、取付け対象の物品やその用途に応じて、様々な方法が取られている。
例えば、シールタグ、紙タグなどの場合、多くは使い捨てを前提としており、タグの裏側に両面シールを貼るか、のり付けしている。また、結束紐や結束バンドを用いて、タグを対象物品に取り付けるものもある。また、洋服等の商品に対して安全ピンを用いて、値札や品名表示札等のタグを対象物品に取り付けるものもある（例えば、特許文献２を参照）。さらに、クリップを用いて、タグを対象物品に挟みこむタイプのものもある（例えば、特許文献３を参照）。【０００４】
上述したように、様々なタグの取付け方法が知られているが、ピンや針を用いて、タグを対象物に取付けるもので、簡単に取付けられて脱落しないものは知られていない。
特に、ＩＣタグやバーコードタグの取付け方法は、取付け用途や取付け対象物の形状に応じて個々に開発されることが多く、現状、多種多様な物品に簡単に取付け可能で、かつ、簡単に脱落しないものは見当たらない。【０００５】
例えば、残糸の有効活用を図るべく、三角錘の紙筒に巻かれた糸（コーン巻きの糸）の管理を行うために、ＩＣタグ等を取付ける場合がある。
かかる場合に、取付け対象となるコーン巻きは、その巻きつけられた糸による弾力性があり、表面にシールやのり付けでタグを取り付けることは困難である。そのため、かかるＩＣタグ等をコーン巻きに、ピンや針を用いて突き刺し、ピンや針の後端部にＩＣタグ等を係止させる方法が取られている。
しかし、かかる方法では、タグを簡単に取付けられる一方で、脱落する恐れがある。【０００６】
また、最近、食の安全が唱えられており、肉や魚などの食材の産地や製造方法、製造日などの情報をＩＣタグで管理し、消費者にそれらの情報を提供しようとする傾向にある。かかる場合に、ＩＣタグは、食材販売の陳列棚に取り付けられたり、食材を包むパッケージに取り付けられたりする方法が取られている。
肉や魚など食材の表面には弾力性があり、また表面組織が剥がれやすいことから、ＩＣタグ等をシールやのり付けにより取付けるやり方は適当でなく、現状、クリップで食材を挟みこむ方法やピンなどで食材の表面に突き刺す方法が取られている。【０００７】
【特許文献１】特開２００２−３４２７２８号公報
【特許文献２】登録実用新案第３０５２１２１号公報
【特許文献３】特開２００５−２１６２７５号公報
【発明の開示】
【発明が解決しようとする課題】
【０００８】
本発明は、表面に弾力性を有する多種多様な物品に対して、ＩＣタグ等を簡単に取付けでき、かつ、簡単に脱落しないタグ取付け用ピンを提供することを目的とする。
【課題を解決するための手段】
【０００９】
本発明のタグ取付け用ピンは、タグを取付け得る係合部２を備え、前方先端部３が先尖りに形成されたピンであって、該ピンの先端部３の軸部４側面に、後方斜め方向に突出した返し部５が設けられた構成とされる。【００１０】
かかる構成によれば、表面に弾力性がある場合でも、後方斜め方向に突出した返し部の作用により、タグ取付けピンの脱落や抜けを生じ難くすることができる。表面に弾力性があり、シールが剥がれ易い対象物の場合に、タグを容易に取付けできるのである。
なお、返し部は１ヶ所である必要はなく、複数の返し部を設けることでもかまわない。【００１１】
ここで、上記のタグ取付け用ピンにおける返し部５の先端は、尖らせた構成とされることが好ましい態様である。
返し部の先端を尖らせることにより、より抜け難くすることができるからである。【００１２】
また、上記のタグ取付け用ピンにおける返し部５は、タグ取付けピンの軸部４側面と一体的に形状記憶合金により形成されており、所定の温度変化により、返し部５の形状が変化して、タグ取付けピンの軸部４の後方斜め方向に突出した形状が変化し、タグ取付けピンの軸部４側面を覆う形状となることが好ましい態様である。
かかる態様によれば、タグ取付けピンを抜く際の利便性が図られる。ここで、形状記憶合金とは、成形後、所定の温度変化で別の形状になり、温度が元に戻ると元の形状に戻る性質をもつ合金を指し、例えば、チタン−ニッケル合金、銅−亜鉛−アルミニウム合金などを用いている。【００１３】
また、上記のタグ取付け用ピンにおける返し部５は、具体的には、タグ取付けピンの軸部４と一体的に、セラミック系材料もしくは硬質の樹脂系材料により形成される。
セラミック系材料もしくは硬質の樹脂系材料により形成されることにより、魚片、肉片にピンを突き刺す場合に、突き刺した対象の変質の恐れがなく、食材の安全性が保たれる。【００１４】
また、上記のタグ取付け用ピンにおける返し部５は、具体的には、タグ取付けピンの軸部４と一体的に、鉄系もしくはステンレス系金属材料により形成される。
鉄系もしくはステンレス系金属材料により、折り曲げ加工のみで、本発明のタグ取付けピンを製造でき、製造コストの低減化が図れる。特に、ステンレス系金属材料の場合、錆が発生しないことから、魚片、肉片にピンを突き刺すのに用いた場合に、突き刺した対象の変質の恐れがなく、食材の安全性が保たれる。【００１５】
また、上記のタグ取付け用ピンにおける返し部５は、タグ取付け用ピンの軸部４と独立して形成されており、タグ取付け用ピンの後方端部もしくは後方側部の突起物６が操作されることにより、タグ取付け用ピンの軸部４側面の内側に収納され得る態様とされることが好ましい。
かかる態様によれば、突き刺したタグ取付け用ピンを引き抜く場合に、突起物６が操作することで、返し部５がタグ取付け用ピンの内側に収納されることから、返し部５による引っ掛かりがなく、突き刺した対象物の表面および内部を傷付けることなく、タグ取付け用ピンを引き抜くことができる。【００１６】
また、上記のタグ取付け用ピンにおける返し部５は、所定の温度で昇華する材質で形成されており、所定の温度変化により、返し部の形状が消失し得る態様とされることが好ましい。
かかる態様によれば、抜き差しの利便性が図れる。すなわち、突き刺したタグ取付け用ピンを引き抜く場合に、所定の温度以上にピンを温めることにより、ピンの軸部の後方斜め方向に突出した形状の返し部が消失することから、返し部５による引っ掛かりがなく、突き刺した対象物の表面および内部を傷付けることなく、タグ取付け用ピンを引き抜くことができる。【００１７】
また、上記のタグ取付け用ピンにおける係合部２は、タグ取付け用ピンの後方端部７を軸方向とほぼ直交する方向に折り曲げ、さらに、後方側に折り返し、タグ８を挟持し得る形に形成された態様とされることが好ましい。
かかる態様によれば、タグ取付け用ピンの後方端部の形状を用いて、タグを挟持することができる。【００１８】
また、上述の態様のタグ取付け用ピンは、好ましくは、三角錘の紙筒に巻かれた糸の識別タグの取り付けに使用する。上述した如く、三角錘の紙筒に巻かれた糸は、その表面に弾力性があり、表面にシールやのり付けでタグを取り付けることは困難で、また針やピンで取付ける方法では、タグを簡単に取付けられる一方で、脱落する恐れがある。
上述の態様のタグ取付け用ピンを用いることにより、表面に弾力性がある三角錘の紙筒に巻かれた糸に対して、ＩＣタグ等を簡単に取付けでき、かつ、簡単に脱落することを回避できる。【００１９】
また、上述の態様のタグ取付け用ピンは、好ましくは、表面が弾力性のある肉材，魚材の売り場での表示タグの取り付けに使用する。
上述した如く、肉や魚など食材の表面には弾力性があり、また表面組織が剥がれやすいことから、ＩＣタグ等をシールやのり付けにより取付けるやり方は適当でなく、現状、クリップで食材を挟みこむ方法やピンなどで食材の表面に突き刺す方法が取られている。
上述の態様のタグ取付け用ピンを用いることにより、表面に弾力性がある肉や魚など食材に対して、ＩＣタグ等を簡単に取付けでき、かつ、簡単に脱落することを回避できる。
【発明の効果】
【００２０】
本発明のタグ取付け用ピンは、表面に弾力性を有する物品に対して、ＩＣタグ等を簡単に取付けでき、かつ、簡単に脱落しないことから、従来は取付けが困難であった商品に対しても、タグの取付けが図れ、商品管理の利便性が向上するといった効果がある。
【発明を実施するための最良の形態】
【００２１】
以下、本発明の実施形態について、図面を参照しながら詳細に説明していく。
【実施例１】
【００２２】
図１は、実施例１のタグ取付け用ピンの斜視図を示している。図１において符号１は、本発明のタグ取付け用ピンの一実施例によるタグ取付け用ピンを示している。
図１に示されるように、実施例１のタグ取付け用ピン１は、タグ（図示しない）を取付け得る係合部２を備え、前方先端部３が先尖りに形成されたピンであって、該ピンの先端部３の軸部４側面に、後方斜め方向に突出した返し部５が設けられた構成とされている。【００２３】
このタグ取付け用ピン１の大体の形状は、例えば直径が０．３〜１．０ｍｍで、長さが２０〜５０ｍｍの針状体である。タグ取付け用ピン１の材質は、鋼鉄である。なお、他の形状寸法や他の材質（例えば、セラミック材料や硬質の樹脂）でもよい。【００２４】
このタグ取付け用ピン１の先端部３は尖っており、また後方斜め方向に突出した返し部５の先端も尖っている。また、タグ取付け用ピン１の後方端部７は、タグ紐が係合できるように、湾曲状に折り返されており、係合部２を形成している。
図２は、実施例１のタグ取付け用ピン１に対して、タグ紐９を用いてタグ８を取付けた様子を示している。
【実施例２】
【００２５】
次に、実施例２のタグ取付け用ピンを説明する。実施例２のタグ取付け用ピンは、タグを取付け得る係合部２を備え、前方先端部３が先尖りに形成されたピンであって、該ピンの先端部３の軸部４側面に、後方斜め方向に突出した返し部５が設けられた構成とされ、また、かかる返し部５は、タグ取付けピンの軸部４側面と一体的に形状記憶合金により形成されており、所定の温度変化により、返し部５の形状が変化して、タグ取付けピンの軸部４の後方斜め方向に突出した形状が変化し、タグ取付けピンの軸部４側面を覆う形状となるものである。【００２６】
図３を参照して、実施例２のタグ取付け用ピンの機能について説明する。
図３（１）に示すように、通常、実施例２のタグ取付け用ピンは、前方先端部３が先尖りに形成されたピンであって、該ピンの先端部３の軸部４側面に、後方斜め方向に突出した返し部５が設けられた形状を呈している。しかし、タグ取付け用ピンに所定の温度変化が生じると、図３（２）に示すように、返し部５の形状が変化して、タグ取付けピンの軸部４の後方斜め方向に突出した形状が変化し、タグ取付けピンの軸部４側面を覆う形状となるのである。【００２７】
実施例２のタグ取付け用ピンの大体の形状は、実施例１と同様、例えば、直径が０．３〜１．０ｍｍで、長さが２０〜５０ｍｍの針状体である。また、タグ取付け用ピンの材質は、チタン−ニッケル合金である。なお、他の形状寸法や他の材質でもかまわない。
【実施例３】
【００２８】
次に、実施例３のタグ取付け用ピンを説明する。実施例３のタグ取付け用ピンは、タグを取付け得る係合部２を備え、前方先端部３が先尖りに形成されたピンであって、該ピンの先端部３の軸部４側面に、後方斜め方向に突出した返し部５が設けられた構成とされ、また、かかる返し部５は、タグ取付け用ピンの軸部４と独立して形成されており、タグ取付け用ピンの後方端部もしくは後方側部の突起物６が操作されることにより、タグ取付け用ピンの軸部４側面の内側に収納され得るものである。【００２９】
図４を参照して、実施例３のタグ取付け用ピンの機能について説明する。
図４（１）に示すように、実施例３のタグ取付け用ピン１は、返し部５がタグ取付け用ピンの軸部４０と独立して形成されており、タグ取付け用ピンの後方側部の突起物６が形成されている。タグ取付け用ピンの軸部４０は円筒体であり、内部に返し部５が収納可能なスペースが存在する。通常時、返し部５は、タグ取付け用ピンの軸部４０側面の開口孔４１から突き出している。【００３０】
次に、図４（２）と（３）を参照して、実施例３のタグ取付け用ピンの機構構造について説明する。図４（２）と（３）は、実施例３のタグ取付け用ピンの長手方向を、返し部５および突起物６を真上にして、側面から断面を眺めたものである。
図４（２）は、突起物６に外力が加わらない状態を示している。また、図４（３）は、突起物６に図の矢印の方向に外力が加わった状態を示している。【００３１】
図４（２）に示されるように、実施例３のタグ取付け用ピンは、返し部５がタグ取付け用ピンの軸部４０と独立して形成されており、また、タグ取付け用ピンの軸部４０は円筒体である。この軸部４０の円筒体の内部には、先端部３に一端が固定された棒状体２０が存在する。この棒状体２０は、スプリングバネ２１により、軸部４０の円筒体の内壁側に引き付けられている。また、棒状体２０に、返し部５および突起物６が取り付けられている。
この図４（２）に示される状態が、通常自然な状態であり、棒状体２０がスプリングバネ２１によって軸部４０の円筒体の内壁側に引き付けられ、その結果、返し部５および突起物６が軸部４０の円筒体に設けられた２つの開口孔（４１，４２）から突出した状態となっている。【００３２】
そして、図４（３）に示されるように、突起物６を矢印に押下すると、スプリングバネ２１が伸び、先端部３に固定されている棒状体２０の端を支点として右回りに回転する。それにより、返し部５が、開口孔４１から軸部４０の円筒体の内部に収納されることとなる（図の点線の矢印を参照）。
突起物６に対して、外力（この場合は押し込む力）を加えることをやめると、スプリングバネ２１の張力により、棒状体２０が軸部４０の円筒体の内壁側に引き付けられ、その結果、返し部５および突起物６が再び軸部４０の円筒体に設けられた２つの開口孔（４１，４２）から突出した状態に戻ることとなる。【００３３】
実施例３のタグ取付け用ピンの大体の形状は、例えば直径が１．０〜３．０ｍｍで、長さが２０〜１００ｍｍの棒状体である。タグ取付け用ピンの材質は、鋼鉄である。なお、他の形状寸法や他の材質（例えば、セラミック材料や硬質の樹脂）でもよい。
【実施例４】
【００３４】
次に、実施例４のタグ取付け用ピンを説明する。実施例４のタグ取付け用ピンは、タグを取付け得る係合部２を備え、前方先端部３が先尖りに形成されたピンであって、該ピンの先端部３の軸部４側面に、後方斜め方向に突出した返し部５が設けられた構成とされ、また、かかる係合部２は、タグ取付け用ピンの後方端部７を軸方向とほぼ直交する方向に折り曲げ、さらに、後方側に折り返し、タグ８を挟持し得る形に形成されるものである。【００３５】
図５を参照して、実施例４のタグ取付け用ピンの構成について説明する。
図５（１）に示すように、実施例４のタグ取付け用ピンは、後方端部７を軸方向とほぼ直交する方向に折り曲げ（７ａ部分）、さらに、後方側に折り返し（７ｂ部分を折り返して点として、折り返し部７ｃを設けている）、タグ８を折り曲げ部７ａと折り返し部７ｃとの間で挟持し得る形に形成されている。なお、折り返し部７ｃの端部を少し拡開して７ｄの部分を設けているのは、タグの差込みを容易にするためである。
図５（２）に、実施例４のタグ取付け用ピンの後方端部７に、タグ８を挟み込んだ様子を示す。【００３６】
図６および図７に、本発明のタグ取付け用ピンの使用例のイメージを示す。
図６に示すように、本発明のタグ取付け用ピン１を用いることにより、表面に弾力性がある三角錘の紙筒、所謂コーン筒１５に巻かれた残糸１６に対しても、ＩＣタグ等のタグ８を簡単に取付けでき、かつ、返り部５の作用により簡単に脱落することを回避できるのである。
また、図７に示すように、本発明のタグ取付け用ピン１を用いることにより、表面に弾力性がある魚材（３０ａ〜３０ｅ）に対して、ＩＣタグ等のタグ８を簡単に取付けでき、かつ、返り部５の作用により簡単に脱落することを回避できるのである。
【産業上の利用可能性】
【００３７】
本発明のタグ取付け用ピンは、表面に弾力性を有する多種多様な物品に対して、ＩＣタグ等を取付けるピンとして有用である。
【図面の簡単な説明】
【００３８】
【図１】実施例１のタグ取付け用ピンの斜視図
【図２】実施例１のタグ取付け用ピンの使用要領の説明図
【図３】実施例２のタグ取付け用ピンの機能説明図
【図４】実施例３のタグ取付け用ピンの構造説明図で、（１）は斜視図で、（２）と（３）は断面図である。
【図５】実施例４のタグ取付け用ピンの説明図で、（１）は斜視図で、（２）は使用要領の説明図である。
【図６】本発明のタグ取付け用ピンの使用例のイメージ図（１）
【図７】本発明のタグ取付け用ピンの使用例のイメージ図（２）
【符号の説明】
【００３９】
１  タグ取付け用ピン
２  係合部
３  先端部
４  軸部
５  返し部
６  突起物
７  後方端部
８  タグ
９  タグ紐
１５  コーン筒
１６  残糸
２０  棒状体
２１  スプリングバネ
３０ａ〜３０ｅ  魚材
【図１】
2009104245.tif 000003
【図２】
2009104245.tif 000004
【図３】
2009104245.tif 000005
【図４】
2009104245.tif 000006
【図５】
2009104245.tif 000007
【図６】
2009104245.tif 000008
【図７】
2009104245.tif 000009
【国際調査報告】
2009104245.tif 000010
2009104245.tif 000011
2009104245.tif 000012
2009104245.tif 000013
2009104245.tif 000014
2009104245.tif 000015
2009104245.tif 000016